(57)【要約】【課題】床面と壁面との境界部分やコーナーに生じた傷や凹みを補修する際に好適な充填剤研磨具の提供。【解決手段】物品表面の損傷箇所に充填された補修用充填剤の余剰分を研磨する合成樹脂製または金属製の充填剤研磨具であって、多数の凹凸を含む第１の研磨面１１と、該第１の研磨面と直交する第２の研磨面１２とを有することを特徴とする充填剤研磨具１０。【選択図】　図１
2004009018.tif 000002
【特許請求の範囲】
【請求項１】
物品表面の損傷箇所に充填された補修用充填剤の余剰分を研磨する合成樹脂製または金属製の充填剤研磨具であって、
多数の凹凸を含む第１の研磨面と、該第１の研磨面と直交する第２の研磨面とを有することを特徴とする充填剤研磨具。
【請求項２】
前記第１の研磨面と第２の研磨面とが、該研磨具の長手方向に対し交差する方向に沿う複数のリブと該リブ間の溝とを含み、かつこれらのリブと溝とが前記第１の研磨面と第２の研磨面とにわたり連続して設けられた請求項１記載の充填剤研磨具。
【発明の詳細な説明】
【０００１】
【発明の属する技術分野】
本発明は、住宅の床面や壁面、家具など木材製品等の表面補修用に、傷や凹みに埋め込んだ充填剤の余剰分を研磨して平滑に仕上げるために用いる充填剤研磨具に関する。
【０００２】
【従来の技術】
従来、住宅の床面や壁面、家具など木材製品の表面補修用に、傷や凹みに埋め込んだ充填剤の余剰分を研磨して平滑な表面に仕上げるための研磨具として、例えば米国特許第６０６１９１３号明細書に開示されたものが知られている。
図３は米国特許第６０６１９１３号明細書に開示されたへら／研磨兼用の研磨具であり、図３（ａ）は断面図、（ｂ）は平面図である。この従来の研磨具１は、中央部から一端側に向けて漸次薄肉となって形成されたブレード２と、中央から他端側の取手となるハウジング３とからなっている。ハウジング３の上下両面には幅方向に沿って並ぶ多数のリブ４と各リブ間の溝とによって研磨部５が形成されている。
【０００３】
この従来の研磨具１は、例えば床面や壁面に生じた傷や凹みを補修する際、合成樹脂製の充填剤を補修するべき傷や凹みに充填し、余剰の充填剤を研磨して平滑表面を形成するために使用される。充填剤を傷や凹みに充填するためにはブレード２が用いられ、ブレード２で傷や凹みに充填剤を擦り込むことで隙間無く充填される。次いで、補修部の表面仕上げのため、研磨部５を用いて余剰分の充填剤を研磨し、美麗な補修表面を得る。
【０００４】
【発明が解決しようとする課題】
しかしながら、上述した従来の研磨具は、床面と壁面との境界部分やコーナーに生じた傷や凹みを補修する際に、研磨面が該境界部分に接触できないため、研磨作業を行うことが困難であった。
また床面と壁面の両方に傷があり、それを補修する場合、従来の研磨部は一方の面しか研磨できないので床面と壁面の両方で研磨作業を行う必要があり、手間がかかっていた。
【０００５】
本発明は前記事情に鑑みてなされたもので、床面と壁面との境界部分やコーナーに生じた傷や凹みを補修する際に好適な充填剤研磨具の提供を目的とする。
【０００６】
【課題を解決するための手段】
本発明は、物品表面の損傷箇所に充填された補修用充填剤の余剰分を研磨する合成樹脂製または金属製の充填剤研磨具であって、多数の凹凸を含む第１の研磨面と、該第１の研磨面と直交する第２の研磨面とを有することを特徴とする充填剤研磨具を提供する。
本発明の充填剤研磨具において、前記第１の研磨面と第２の研磨面とが、該研磨具の長手方向に対し交差する方向に沿う複数のリブと該リブ間の溝とを含み、かつこれらのリブと溝とが前記第１の研磨面と第２の研磨面とにわたり連続して設けられた構成としてよい。
【０００７】
【発明の実施の形態】
以下、図面を参照して本発明の実施形態を説明する。
図１は本発明の充填剤研磨具の一実施形態を示す斜視図であり、図中符号１０は充填剤研磨具である。
この充填剤研磨具１０は、物品表面の損傷箇所に充填された補修用充填剤の表面を研磨するためのものであり、合成樹脂または金属からなる略直方体形状をなしている。この充填剤研磨具１０の最大面積の両面のうち一方の面には、多数の凹凸を含む第１の研磨面１１が形成され、また該第１の研磨面１１と直交する中間面積の一方の面には第２の研磨面１２が形成されている。
【０００８】
この充填剤研磨具１０を構成する合成樹脂や金属は、補修に用いる充填剤を平滑に研磨し得る表面硬度を有するものであればよく、充填剤を充填する部材、例えば木材やプラスチック、金属等の表面硬度を考慮し研磨具の材質を選定する。また、使用する充填剤の硬さ、材質等に応じて適宜選択でき、例えばアルミニウム、伸銅、ステンレス鋼、炭素工具鋼などの特殊鋼やＡＢＳ樹脂、ポリプロピレン系樹脂、ポリエチレンテレフタレートのようなポリエステル系樹脂、硬質ポリウレタン系樹脂、ポリアミド系樹脂、ポリスチレン系樹脂、ポリカーボネート系樹脂、硬質塩化ビニル系樹脂等の樹脂が挙げられ、好ましくはＡＢＳ樹脂が用いられる。粘性が高く接着性のある充填剤を研磨する場合は研磨具の材質としてポリテトラフルオロエチレン（ポリ四フッ化エチレン）などを使用する。この充填剤研磨具１０の大きさは特に限定されず、好ましくは該研磨具を手で持ち、床面や壁面を擦って研磨する作業が容易な大きさとされ、通常は長さ２０ｍｍ〜２００ｍｍ、幅５ｍｍ〜１００ｍｍ、高さ５ｍｍ〜１００ｍｍ程度とされる。またこの充填剤研磨具１０の形状は、第１の研磨面１１及びそれと直交する第２の研磨面１２を備えていればよく、直方体形に限定されず種々の形状とすることができ、例えば取手となる突起を設けた形状とすることもできる。
【０００９】
この充填剤研磨具１０において、第１の研磨面１１と第２の研磨面１２とは、該充填剤研磨具１０の長手方向に対し交差する方向に沿う複数のリブ１３と該リブ１３間の溝１４とを含み、かつこれらのリブ１３と溝１４とは第１の研磨面１１と第２の研磨面１２とにわたり連続して設けられている。リブ１３の形成方向は、充填剤研磨具１０の長手方向に対し交差する方向とし得るが、好ましくは直交する方向とされる。なお、リブ１３及び溝１４からなる各研磨面１１，１２の凹凸パターンは直線上に限定されることなく、格子状、編目状のパターンとすることもできる。
【００１０】
図２は第１、第２の研磨面１１，１２におけるリブ１３と溝１４の配置を例示する図である。本例示ではリブ１３と溝１４との連続により、断面が略正弦曲線状の凹凸面になっている。リブの高さａは、通常０．２ｍｍ〜３ｍｍ、好ましくは１ｍｍ程度とされる。また隣接する２つのリブ１３の頂点間の距離（ピッチ）ｂは、通常０．４ｍｍ〜６ｍｍ、好ましくは１．０ｍｍ〜２．０ｍｍとされる。リブ高さａが上記範囲より小さいと十分な研磨効果が得られず、一方リブ高さａが上記範囲より大きいと充填剤の破片が目詰まりしリブ溝に沿って外部に排出され難くなり、研磨屑の清掃除去も容易ではなくなる。またピッチｂが上記範囲より小さいと目詰まりし易くなり十分な研磨効果が得られず、一方ピッチｂが上記範囲より大きいと研磨面が平滑に仕上がり難くなる。
【００１１】
この充填剤研磨具１０は、住宅の床面や壁面、家具など木材製品の表面補修用に、傷や凹みに埋め込んだ充填剤の表面を研磨して仕上げるために用いられる。例えば床面や壁面の補修の場合、補修するべき傷や凹みに補修用充填剤（ワックス、ソフトワックス等とも称される）を充填し、必要に応じてへら等を用いて擦り込む。なお、補修用充填剤としては各種市販品（例えばドイツ・ケーニッヒ社製の各種充填剤、株式会社ベスコ製の商品名「スーパーマルチワックス」等）の中から適宜選択して使用することができる。
【００１２】
次いで、この充填剤研磨具１０を用いて補修箇所の余剰の充填剤を研磨除去し、平滑な表面に仕上げる。この研磨は、充填剤研磨具１０を手で持ち、研磨面１１を補修箇所に向けて床面等に合わせ、充填剤研磨具１０の長手方向に沿って往復移動させる。床面等から盛り上がっている余剰の充填剤は研磨面１１により徐々に研磨され、最終的に床面等と同一平面の平滑な補修面が形成される。この研磨において、研磨された充填剤破片（研磨屑）は、リブ１３間の溝１４に一端溜まり、比較的多量の研磨屑が生じる場合には溝１４に沿って該溝の両端から外部に排出される。
研磨済みの平滑な補修面は、必要に応じて塗装を施してよい。
【００１３】
この充填剤研磨具１０にあっては、多数の凹凸を含む第１の研磨面１１と、該第１の研磨面１１と直交する第２の研磨面１２とを有する構成としたので、床面と壁面とが交わる角部において、床面と壁面の補修箇所を同時に研磨できる。
また第１の研磨面１１と第２の研磨面１２のリブ１３と溝１４とを連通させたことにより、床面と壁面との角を補修する場合、角を美麗に研磨することができる。
【００１４】
なお、本発明は上述した一実施形態に限定されることなく、種々の変更が可能である。例えば、第１の研磨面１１と第２の研磨面１２以外の面にも同様の研磨面を形成してもよい。また研磨面１１，１２のリブ１３と溝１４の断面形状は、逆Ｖ字（リブ断面）とＶ字（溝断面）との連なり、逆Ｕ字（リブ断面）とＵ字（溝断面）との連なりから構成してもよい。
【００１５】
【発明の効果】
本発明の填剤研磨具は、多数の凹凸を含む第１の研磨面と、該第１の研磨面と直交する第２の研磨面とを有する構成としたので、床面と壁面とが交わる角部において、床面と壁面の補修箇所を同時に研磨できる。
また第１の研磨面と第２の研磨面のリブと溝とを連通させたことにより、床面と壁面との角を補修する場合、角を美麗に研磨することができる。
従って、本発明によれば、床面と壁面との境界部分やコーナーに生じた傷や凹みを補修する際に好適な充填剤研磨具を提供することができる。
【図面の簡単な説明】
【図１】本発明の一実施形態を示す充填剤研磨具の斜視図である。
【図２】同じ充填剤研磨具の要部拡大図である。
【図３】従来の研磨具を例示するもので、（ａ）は断面図、（ｂ）は平面図である。
【符号の説明】
１０　　充填剤研磨具
１１　　第１の研磨面
１２　　第２の研磨面
１３　　リブ
１４　　溝
【図１】
2004009018.tif 000003
【図２】
2004009018.tif 000004
【図３】
2004009018.tif 000005